(57)【要約】【課題】遊技盤上の設置範囲を縮小化することが可能な振分装置を備えた遊技機を提供する。【解決手段】遊技盤３０と、遊技盤３０に取り付けられた振分装置７０とを備えた遊技機であって、振分装置７０は、遊技盤の盤面を流下する遊技球を当該盤面の後方に取込可能な入球部と、盤面よりも後方に形成され、入球部に取り込まれた遊技球を下流側に位置する複数の入球口にそれぞれ誘導する複数の誘導部と、複数の誘導部の上流側に配置され、入球部に取り込まれた遊技球を複数の誘導部に所定の確率で振り分ける振分板とを備えた構成とした。【選択図】図４
2018051043.tif 000002
【特許請求の範囲】
【請求項１】
遊技盤と、
前記遊技盤に取り付けられた振分装置と、
を備えた遊技機であって、
前記振分装置は、前記遊技盤の盤面を流下する遊技球を当該盤面の後方に取込可能な入球部と、
前記盤面よりも後方に形成され、前記入球部に取り込まれた遊技球を下流側に位置する複数の入球口にそれぞれ誘導する複数の誘導部と、
前記複数の誘導部の上流側に配置され、前記入球部に取り込まれた遊技球を前記複数の誘導部に所定の確率で振り分ける振分板と、
を備えたことを特徴とする遊技機。
【発明の詳細な説明】
【技術分野】
【０００１】
本発明は、遊技機に関し、特に振分装置を備えた遊技機に関する。
【背景技術】
【０００２】
従来、遊技機の一例としてのパチンコ機には、遊技盤上に振分機構を有する振分装置を設け、当該振分装置内に入球した遊技球を特定の入球口や当該入球口以外の領域に振り分ける構成が提案されている。
【先行技術文献】
【特許文献】
【０００３】
【特許文献１】特開２０１６−０１６２９０号公報
【発明の概要】
【発明が解決しようとする課題】
【０００４】
特許文献１に示す振分装置にあっては、遊技盤面上に、遊技球の入球口、モータによって可変する振分機構、二股に分かれて延長する流路、及び流路の下流側に設けられた入賞口や排出領域が上方から下方に向けて順に設けられた構成であるため、上下寸法（Ｙ寸法）が大となり易く、遊技盤面上の設置可能範囲に制約が生じるという欠点がある。
【０００５】
本発明は、上記課題を解決すべくなされたものであって、遊技盤上の設置範囲を縮小化することが可能な振分装置を備えた遊技機を提供する。
【課題を解決するための手段】
【０００６】
上記課題を解決するための本発明の構成として、遊技盤と、遊技盤に取り付けられた振分装置とを備えた遊技機であって、振分装置は、遊技盤の盤面を流下する遊技球を当該盤面の後方に取込可能な入球部と、盤面よりも後方に形成され、入球部に取り込まれた遊技球を下流側に位置する複数の入球口にそれぞれ誘導する複数の誘導部と、複数の誘導部の上流側に配置され、入球部に取り込まれた遊技球を複数の誘導部に所定の確率で振り分ける振分板とを備えた構成とした。
なお、上記発明の概要は、本発明の必要な特徴の全てを列挙したものではなく、特徴群を構成する個々の構成もまた発明となり得る。
【発明の効果】
【０００７】
上記各構成に係る遊技機によれば、遊技盤上の設置範囲を縮小化することが可能となる。
【図面の簡単な説明】
【０００８】
【図１】パチンコ機の概略斜視図である。
【図２】遊技盤の概略斜視図である。
【図３】振分装置の透過図である。
【図４】振分装置の分解斜視図である。
【図５】振分装置の分解斜視図である。
【図６】振分装置のＡ−Ａ断面図である。
【図７】パチンコ機の制御ブロック図である。
【発明を実施するための形態】
【０００９】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１０】
［遊技機の全体構成について］
遊技機の一例としてのパチンコ機１は、遊技場の島設備に設置される縦長方形状の機枠２と、この機枠２の一側部においてヒンジ機構により開閉自在に取り付けられた本体枠３と、本体枠３内に収容された遊技盤と、本体枠３の前方において開閉可能に軸着され、中央部に配設されたガラス窓４Ａ、及びガラス窓４Ａの下方に設けられた上皿６Ａ及び下皿６Ｂを有するパネル枠４と、パネル枠４の下部一側部より前方に突設されたハンドルユニット７を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３１を視認することが可能である。
【００１１】
上皿６Ａの中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２００と接続されており、プッシュボタン９Ａ、及びダイアル９Ｂから出力される信号は、演出制御回路２００側に入力する。演出制御回路２００は、例えばプッシュボタン９Ａの入力タイミングに応じてメイン表示装置の表示及び動作を制御する。上皿６Ａには、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１２】
［遊技盤の構成について］
図２に示すように、本体枠３内に収容された遊技盤３０には、外ガイドレール２７及び内ガイドレール２８によって略円形状に区画された遊技領域３１が形成される。遊技領域３１は、遊技盤３０の前面（盤面）３０Ａとガラス窓４Ａの後面との間に形成される空間であり、図外の発射機構により打ち出された遊技球が流下可能な領域である。
遊技盤３０の前面３０Ａには、図外の多数の釘が配設されており、遊技者のハンドルユニット７の操作によって図外の発射機構により発射された遊技球は、多数の釘や風車３０Ｂによって不規則に誘導されつつ遊技領域３１内を流下する。遊技領域３１は、概ね左打ち領域ＥＬと右打ち領域ＥＲとに分けられており、遊技球を打ち出す強度をハンドルユニット７の操作によって調整することにより、遊技球をいずれの領域上に流下させるかを選択することができる。
【００１３】
図２に示すように、遊技盤３０の前面３０Ａには、振分装置７０が配設される。当該振分装置７０は、遊技領域３１下部の左右方向中央に位置する装置であって、振分入球口７２４ａを介して入球した遊技球を遊技盤３０の後方において振り分け、当該遊技球を後述の第１始動入賞部８１０ａ及び第２始動入賞部８１０ｂのいずれかに入球（入賞）させる。遊技盤３０の前面３０Ａには、上記振分装置７０の他、不図示の大入賞装置、通過ゲート、及び一般入賞部品等が配設されており、これらの部品に遊技球が入球し、各部品内に内蔵されたセンサー（第１始動口検出センサーＳＷ１，第２始動口検出センサーＳＷ２，大入賞口検出センサー，ゲート検出センサー，一般入賞口検出センサー）により検出されると、各入賞部品に対応した所定数の賞球の払出し処理や、所定の抽選処理が実行される。
特に、遊技球が振分装置７０に入球し、第１始動入賞部８１０ａ又は第２始動入賞部８１０ｂに入球すると、大入賞部品を開放動作させ、所定の確率によって遊技者にとって有利な状態を醸成する特別遊技（大当り遊技）の実行可否に関する抽選や、当該特別遊技の態様、或いは特別遊技後の遊技状態を決定するための抽選を始めとする各種の抽選が主制御回路１００により実行される。即ち、振分装置７０への入球は、特別遊技の実行可否に関する各種の抽選を受けるための契機となるものである。上記いずれの入賞部品にも入球しなかった遊技球は、振分装置７０の下部に開設されたアウト口３０Ｃを経由して機外に排出される。
【００１４】
遊技盤３０の中央部には、略矩形状とされた開口部３２が開設される。当該開口部３２の後部には、例えば液晶表示画面を備えた演出表示装置や、可動役物等が配設され、上記特別遊技の実行可否に関する抽選の結果を所定の演出図柄の変動表示及び停止態様によって遊技者に報知する。同図に示すとおり、開口部３２の周囲には、当該開口部３２を取り囲むように障壁部３２Ａが所定の意匠形状を有して延長しており、遊技領域３１内に打ち出された遊技球が、開口部３２の前方を通過することは不可能とされている。
【００１５】
以下、図３乃至図６を参照して振分装置７０の詳細について説明する。図４に特に示すように、振分装置７０は、遊技盤３０の前面３０Ａに取り付けられるベース板７２と、当該ベース板７２の後面側に位置する流路構成板８０と、当該流路構成板８０の後面側に位置する排出流路構成板９０と、当該排出流路構成板９０の後方に取り付けられるソレノイドケース９５とが遊技盤３０の前後方向に組み合わされて構成される。
【００１６】
図３に示すように、ベース板７２は、遊技盤３０の左右方向に長い略台形状の外形を有し、その四隅にはそれぞれ、遊技盤３０の前面３０Ａに螺入される止めネジを挿通可能なねじ穴７２２が形成される。ベース板７２は、無色のアクリル板等により形成され、遊技者がベース板７２を正面視した場合、その後方に存在する流路構成板８０を視認することが可能である。ベース板７２の上辺部には、前方に突出する振分入球部７２４が突設される。振分入球部７２０は、断面視略Ｕ字状に形成される凸部であって、その上部は、上方開口の振分入球口７２４ａが形成される。振分入球口７２４ａは、遊技領域３１を流下する遊技球の入球を許容する開口であって、当該振分入球口７２４ａに入球した遊技球は、遊技盤３０の前面３０Ａより後方へと導かれ、流路構成板８０に設けられた振分板８０５に到達する。ベース板７２の下辺部には、上方に向けて凹となる排出開口部７２６が形成される排出開口部７２６は、上述のアウト口３０Ｃの開口形状と対応している。
【００１７】
特に図６に示すように、流路構成板８０は、遊技盤３０の前後方向に貫通する開口部として形成された取付穴３４を介して、ベース板７２の後方に取り付けられる。図３，４に示すように、流路構成板８０には、前方に位置するベース板７２の形状と対応するように、横長矩形状に形成された基板部８０２と、基板部８０２の前面側の左右方向中央部側から両側部に向けてハの字状となるように形成された一対の誘導部８０４ａ；８０４ｂと、当該誘導部８０４ａ；８０４ｂ間に位置する振分板８０５と、基板部８０２の前面側の両側部において、誘導部８０４ａ；８０４ｂとそれぞれ対応して形成された阻止壁部８０６ａ；８０６ｂと、基板部８０２の前面側の両側部の下方に突設された第１始動入賞部８１０ａ：第２始動入賞部８１０ｂとが形成される。
【００１８】
誘導部８０４ａ；８０４ｂは、遊技球１個分の直径よりも僅かに大寸であって、遊技球２個が同時に流下不能な寸法を有して、基板部８０２の前方に突出する板状体であって、基板部８０２の左右方向中央部から左右方向両側に向けて下傾斜して延長する。誘導部８０４ａ；８０４ｂの間に配置された振分板８０５は、後方に位置するソレノイドＳＯＬ１を駆動源として誘導部８０４ａ；８０４ｂ側に交互に傾動可能な柱状体であって、その誘導面８０５ａは、振分板８０５が誘導部８０４ａ側に傾いた状態において傾斜した誘導部８０４ａの上面と略平行となり、振分板８０５が誘導部８０４ｂ側に傾いた状態において傾斜した誘導部８０４ｂの上面と略平行となる。図３に示すように、振分板８０５の誘導面８０５ａは、振分入球部７２４の下縁部と対応するように配置され、振分入球口７２４ａを介して取り込まれた遊技球は、傾動する誘導面８０５ａを経由して、誘導部８０４ａ；８０４ｂの何れかの側に振り分けられる。また、ソレノイドＳＯＬ１は、例えば振分板８０５が誘導部８０４ａ側に傾斜した状態が５００ｍｍ秒、誘導部８０４ｂ側に傾斜した状態が２５０ｍｍ秒継続するように周期的にオンオフ制御され、振分入球口７２４ａに入球した遊技球を第１始動入賞部８１０ａ及び第２始動入賞部８１０ｂに対して２：１の割合で振り分ける。
【００１９】
阻止壁部８０６ａ；８０６ｂは、基板部８０２の左右方向両側から中央部に向けて上方に向けて弧状に延長し、誘導部８０４ａ；８０４ｂの外側端部と対向する。阻止壁部８０６ａ；８０６ｂと誘導部８０４ａ；８０４ｂの外側端部との間には、遊技球の直径以上の寸法に形成された落下口８０８ａ；８０８ｂが形成される。よって、誘導部８０４ａ；８０４ｂに沿って左右方向両側に向けて流下する遊技球は、両端部に形成された阻止壁部８０６ａ；８０６ｂによって流下が阻まれ、落下口８０８ａ；８０８ｂを介して下方の第１始動入賞部８１０ａ：第２始動入賞部８１０ｂにそれぞれ入球することとなる。
【００２０】
第１始動入賞部８１０ａ：第２始動入賞部８１０ｂは、誘導部８０４ａ；８０４ｂ及び阻止壁部８０６ａ；８０６ｂと同様に、遊技球１個分の直径よりも僅かに大寸であって、遊技球２個が同時に入球不能な寸法を有して、基板部８０２の前方に突出する断面略Ｕ字状の凸部であって、それぞれ上方開口として形成された入球口８０７ａ；８０７ｂを介して、落下口８０８ａ；８０８ｂから流下してきた遊技球を受け入れ可能である。
【００２１】
以上のとおり、流路構成板８０には、振分板８０５を基点として左右方向に分かれて形成された誘導部８０４ａ；８０４ｂと、誘導部８０４ａ；８０４ｂを経由して流下した遊技球がそれぞれ入球可能な第１始動入賞部８１０ａ：第２始動入賞部８１０ｂが、前方に位置するベース板７２の後面を基準として遊技球１個分の直径よりも僅かに大寸な前後方向のスペース内に設けられている。そして、ベース板７２と流路構成板８０との間に形成される上記一連の流路が遊技盤３０の前面３０Ａよりも後方に形成されているため、遊技盤３０の前面３０Ａにおける振分装置７０の設置スペースについて、ベース板７２の面積分を確保すれば良く、流路の延長方向に依らず、設置スペースを縮小化することができる。また、上記流路の奥行寸法は、遊技球１個分の直径よりも僅かに大寸な程度であるため、前後方向（奥行方向）のスペースについても縮小化することができる。
【００２２】
次に、流路構成板８０の後方に組み付けられる排出流路構成板９０について説明する。排出流路構成板９０は、前方に位置する流路構成板８０の基板部８０２と対応するように、略横長矩形状に形成された基板部９０２が周囲に形成されたボスやねじ穴等の係合手段を介して流路構成板８０と組み付けられることにより一体化される。図４，５に示すように、基板部９０２には下方に向けて凹となる逃げ部９０４と、前方に向けて突出する額縁状の複数のセンサー取付部９０６ａ；９０６ｂとが形成される。逃げ部９０４は、基板部９０２の上周縁部から下方に向けて弧状に形成された領域であって、当該領域には、前方に位置する流路構成板８０に搭載された振分板８０５から後方に向けて延出する軸部８０５ｂが後方に向けて通される（図６参照）。
【００２３】
図６に示すように、軸部８０５ｂは、柱状体として形成された振分板８０５の中心部に挿通されると共に後方に向けて延出する棒状体であって、その後端部はリンクアーム９１０と接続される。リンクアーム９１０は、上記軸部８０５ｂを挿入可能な係合部９１０ａと、当該係合部９１０ａから上方に延長する基部９１０ｂと、当該基部９１０ｂの上端部から後方に向けて延出する連結軸９１０ｃとを有する。連結軸９１０ｃは、後方に設けられたソレノイドＳＯＬ１の励磁によって回転動作する可動片（フラッパー）９５４に形成された連結孔９６０に対して回転可能に挿入される。そして、ソレノイドＳＯＬ１のオンオフ制御によって可動片９５４が正逆方向に回転すると、当該回転動作がリンクアーム９１０を介して振分板８０５の軸部８０５ｂに伝達され、振分板８０５が所定角度を有して傾動可能となる。
【００２４】
センサー取付部９０６ａ；９０６ｂは、基板部９０２の下部において、前方に位置する第１始動入賞部８１０ａ及び第２始動入賞部８１０ｂとそれぞれ対応するように左右方向に分かれて形成される。センサー取付部９０６ａ；９０６ｂは、上方から下方に向けて傾斜する側面視台形状の枠状体として形成され、その前方にはそれぞれ第１始動口検出センサーＳＷ１及び第２始動口検出センサーＳＷ２が傾斜した状態で配置される。
【００２５】
第１始動口検出センサーＳＷ１；第２始動口検出センサーＳＷ２の外周はそれぞれ、流路構成板８０の基板部８０２の後面から後方に向けて延長する上側片８１２及び下側片８１４によって位置決めされ、図６に示す如く、流路構成板８０と排出流路構成板９０とが前後方向に組み付けられた状態において、基板部８０２と基板部９０２との間に傾斜して挟み込まれた状態とされる。
【００２６】
第１始動口検出センサーＳＷ１；第２始動口検出センサーＳＷ２はそれぞれ、第１始動入賞部８１０ａ及び第２始動入賞部８１０ｂに入球した遊技球が円孔として形成された検出孔を通過したことに基づいて、検出信号を後述の主制御回路１００に出力する。また、当該第１始動口検出センサーＳＷ１；第２始動口検出センサーＳＷ２によって検出された遊技球は、センサー取付部９０６ａ；９０６ｂの内側に形成された矩形状の取込口９０７内に進入し、取込口９０７と連通する排出通路９１８ａ；９１８ｂを経た後に機外に排出される。排出通路９１８ａ；９１８ｂは、基板部９０２の前方側に開口する取込口９０７と連通し、基板部９０２の後方に向けて略扇状に延長する通路であって、後方の下端部には下方開口の排出口９２０が形成される。つまり、取込口９０７から排出通路９１８ａ；９１８ｂにそれぞれ進入した遊技球は、排出口９２０から下方に向けて排出される。
【００２７】
次に、排出流路構成板９０の後方に組み付けられるソレノイドケース９５について説明する。ソレノイドケース９５は、排出流路構成板９０の後方に延長する排出通路９１８ａ；９１８ｂの間の領域に排出流路構成板９０と一体的に組み付けられる部材であって、その内部には、箱型のケーシング９０２内に格納されたソレノイドＳＯＬ１が収容される。ソレノイドＳＯＬ１は、所謂フラッパー型ソレノイドであって、励磁によって進退動作するプランジャの軸心が左右方向を向くように横倒しされた状態で収容される。
【００２８】
ソレノイドＳＯＬ１のプランジャの先端部には、可動片９５４（フラッパー）が接続される。可動片９５４は、ソレノイドＳＯＬ１のプランジャ側において上下に延長し、プランジャの先端部と接続される本体部９５４ａと、本体部９５４ａの下端部からソレノイドＳＯＬ１の下部を経て左右方向に延長する下側片部９５４ｂと、本体部９５４ａの上端部からソレノイドＳＯＬ１の上方を経て左右方向に延長する上側片部９５４ｃとを有する略Ｃ字状である。下側片部９５４ｂには、前方及び後方に延長する回転軸部９５５が形成される。回転軸部９５５は、排出流路構成板９０とソレノイドケース９５に形成された図外の挿入孔に回転可能に挿入される軸体であって、当該回転軸部９５５が可動片９５４の回転中心となる。
【００２９】
下側片部９５４ｂの先端側の下面側には、ソレノイドケース９５の下部に形成され、前方に向けて突出する受け片９５２上に配置された付勢部材９５６が介挿される。付勢部材９５６は例えば圧縮コイルにより構成され、可動片９５４の本体部９５４ａの上端側が、ソレノイドＳＯＬ１のプランジャから離れる方向に常時付勢する。そして、当該付勢がなされることにより、ソレノイドＳＯＬ１が励磁されていない場合、振分板８０５が誘導部８０４ａ側に傾斜した状態となる。一方、ソレノイドＳＯＬ１が励磁された場合には、上記付勢に抗して本体部９５４ａの上端側がプランジャの吸引方向に移動し、リンクアーム９１０を介して振分板８０５が誘導部８０４ｂ側に傾斜した状態に切り替わる。
【００３０】
上側片部９５４ｃの先端部には、前後方向に貫通する連結孔９６０が形成される。上述の通り、当該連結孔９６０には、リンクアーム９１０の連結軸９１０ｃが回転可能に挿通され、可動片９５４の回転動作がリンクアーム９１０を介して振分板８０５に伝達される。
【００３１】
［パチンコ機の内部構成について］
図５は、パチンコ機１の制御を担う制御手段の構成を示すブロック図である。同図に示すように、パチンコ機１は、主として遊技全般に係る基本動作を制御する主制御回路１００と、主として払出動作を制御する払出制御回路１５０と、主として遊技球の発射動作を制御する発射制御回路１６０及び、演出制御回路２００とを備える。
【００３２】
主制御回路１００は、（メイン）ＣＰＵ１００ａ、（メイン）ＲＯＭ１００ｂ、及び（メイン）ＲＡＭ１００ｃを備えてなり、ＣＰＵ１００ａが後述する各検出スイッチやタイマからの入力に対応してＲＯＭ１００ｂに予め格納されたプログラムを読み出して、当該プログラムに従った演算処理を行い、主制御回路１００に接続された上述の各装置を直接的に制御したり、他の制御回路に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００３３】
同図に示すように、主制御回路１００には、振分装置７０内に設けられ、第１始動入賞部８１０ａへの入球を検出する第１始動口検出センサーＳＷ１、第２始動入賞部８１０ｂへの遊技球の入球を検出する第２始動口検出センサーＳＷ２、図外の大入賞部品への遊技球の入球を検出する大入賞口検出センサー、図外の通過ゲートへの遊技球の通過を検出するゲート検出センサー及び図外の一般入賞部品への遊技球の入球を検出する一般入賞口検出センサーが接続されており、各検出センサーから出力された検出信号が主制御回路１００側に入力する。
【００３４】
また、主制御回路１００には、前述のソレノイドＳＯＬ１や大入賞部品に設けられた開閉体を開閉動作させるためのソレノイドＳＯＬ２が接続され、これらのソレノイドが主制御回路１００によって直接的に制御される。また、主制御回路１００には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が接続されており、これらの表示装置が主制御回路１００によって直接的に制御される。
【００３５】
主制御回路１００には、払出制御回路１５０、及び演出制御回路２００が接続されている。払出制御回路１５０は、主制御回路１００と同様に不図示のＣＰＵ、ＲＯＭ、ＲＡＭを備えたマイクロコンピュータであって、主制御回路１００と通信可能に接続されている。また、主制御回路１００と払出制御回路１５０とには、外部情報出力端子板１５１が接続されている。外部情報出力端子板１５１は、主制御回路１００（ＣＰＵ１００ａ）及び払出制御回路１５０（払出ＣＰＵ）から出力された遊技の進行に関する種々の情報をパチンコ機１の設置店等に設けられたホストコンピュータ側に送信する。
【００３６】
払出制御回路１５０には、遊技者に対して賞球を払い出すための払出モータ１５２、及び賞球数計数スイッチ１５３が接続されている。払出制御回路１５０は、主制御回路１００から送信される払出コマンドに含まれる賞球数情報に基づいて所定の賞球数が払い出されるように払出モータ１５２を制御する。当該払出モータ１５２の駆動により払い出された賞球は、賞球数計数スイッチ１５３により検出され、払出制御回路１５０側において、適正な賞球数が払い出されたかが把握される。なお、払出制御回路１５０には、この他、上皿６Ａに許容数以上の遊技球が貯留されていることを検知する皿満タン検出スイッチ１５４や、パネル枠４や本体枠３の扉が開放していることを検知する扉開放検出スイッチ１５５等の各種のスイッチが接続される。
【００３７】
また、発射制御回路１６０には、ハンドルユニット７内に搭載されたタッチセンサ１６１、発射ボリューム１６２、図外の発射機構内に上皿６Ａに貯留された遊技球を送り込む球送りモータ１６３、及び発射機構内に格納された球発射モータ１６４が接続されている。発射制御回路１６０は、払出制御回路１５０からの発射許可およびタッチセンサ１６１からの入力を条件として、遊技者によるハンドルユニット７の操作量に応じて変化する発射ボリューム１６２からの入力信号に基づいて球発射モータ１６４を制御し、上皿６Ａに貯留された遊技球を所定の発射力により遊技領域３１内に打ち出す。
【００３８】
演出制御回路２００は、遊技進行中や待機中における各種の演出表示や演出動作を制御する。演出制御回路２００は、（サブ）ＣＰＵ２００ａ、（サブ）ＲＯＭ２００ｂ、（サブ）ＲＡＭ２００ｃを備えてなり、主制御回路１００に対して主制御回路１００から演出制御回路２００に対してのみ通信（一方向通信）が可能なように接続されている。当該演出制御回路２００は、主制御回路１００から送信される演出に関する各種のコマンドや内部タイマからの入力信号に基づいて、ＲＯＭ２００ｂに予め格納されたプログラムを読み出して当該プログラムに従った演算処理を行い、演出制御回路２００に接続された図外の演出表示装置に表示される画像の表示制御や遊技進行中における楽曲や効果音などの音声をスピーカユニット８から出力させる音声出力制御等を実行する。なお、このときＲＡＭ２００ｃは、ＣＰＵ２００ａの演算処理時におけるワークエリアとして機能し、演算に必要な各種のデータや、コマンド等を一時的に保持する。
また、演出制御回路２００は、ＣＰＵ２００ａと接続され、当該ＣＰＵ２００ａより送信される画像表示に係る各種のコマンドを受信して演出表示装置に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００３９】
また、図示は省略するが、上述の各制御回路には電源供給回路が接続されており、当該電源供給回路に設けられた電源スイッチの操作により、遊技設置店側の外部電源から電源が供給され、該外部電源を各制御回路の動作に必要な電源として生成し、各制御回路に生成した電源を供給することで各制御回路が起動する。また、電源供給回路には、コンデンサ等のバックアップ用電源が搭載されており、断電時においては当該バックアップ用電源から主制御回路１００及び払出制御回路１５０に対して電力が供給され、これら２つの制御回路のＲＡＭに格納された各種のデータやコマンドが保持される。また、電源供給回路には、演出制御回路２００に対する専用のバックアップ用電源も搭載されており、断電時においては当該専用のバックアップ用電源からの電力供給によりＲＡＭに格納された各種のデータやコマンドの一部が別途搭載されたバックアップ用ＲＡＭに格納される。
【００４０】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００４１】
１  パチンコ機，３０  遊技盤，７０  振分装置，７２  カバー板，８０  流路構成板，
９０  排出流路構成板，９５  ソレノイドケース，８０５  振分板，
８１０ａ  第１始動入賞部，８１０ｂ  第２始動入賞部
【図１】
2018051043.tif 000003
【図２】
2018051043.tif 000004
【図３】
2018051043.tif 000005
【図４】
2018051043.tif 000006
【図５】
2018051043.tif 000007
【図６】
2018051043.tif 000008
【図７】
2018051043.tif 000009